(57)【特許請求の範囲】
【請求項１】
注ぎ口が形成された容器と、
上記容器が収納される外装体とを備え、
上記外装体は、開封可能な開封蓋部が設けられ、その開封蓋部を介して開放された上記天面より上記容器内の食品が調理可能とされ、更に上記容器の注ぎ口が外側に露出する構成とされ、
上記開封蓋部は、上記外装体における上記一の側面において、上記容器の注ぎ口を外側に突出させるための開放部分と、上記容器の周壁を支持するための閉鎖部分とが形成されるように開封可能とされていること
を特徴とする食品調理性に優れた収納体。
【請求項２】
上記容器は、上記外装体内に遊嵌され、
上記容器内の調理後の食品を上記注ぎ口を介して注ぐ場合には、当該食品の自重により上記容器を上記外装体内において上記一の側面に向けて滑らせて上記開放部分から上記注ぎ口を突出させるとともに、上記閉鎖部分を介して上記容器の周壁を支持可能とされていること
を特徴とする請求項１記載の食品調理性に優れた収納体。
【請求項３】
上記外装体における側面と、上記容器との間には、当該容器から当該外装体に向けて食品調理に伴う伝熱を抑えるためのエア層が形成されていること
を特徴とする請求項１又は２項記載の食品調理性に優れた収納体。
【請求項４】
上記容器は、その周縁が外側に向けて延長されたフランジと、上記フランジの外側端部から下側に向けて立ち下げられた立ち下げ部とを有していること
を特徴とする請求項１〜３のうち何れか１項記載の食品調理性に優れた収納体。
【請求項５】
上記側面を把持した場合に、上記容器のフランジ部及び立ち下げ部を介して、その把持による押圧力に対抗しつつ、その把持した側面と上記容器との間に形成された食品調理に伴う伝熱を抑えるためのエア層を確保すること
を特徴とする請求項４項記載の食品調理性に優れた収納体。
【請求項６】
上記容器は、樹脂製で構成され、
上記外装体は、紙製で構成されていること
を特徴とする請求項１〜５のうち何れか１項記載の食品調理性に優れた収納体。
【請求項７】
上記食品は、水又は熱湯を注ぐことにより調理可能な即席食品又はフリーズドライ食品、或いは電子レンジにより加熱調理可能な食品であり、上記開封蓋部の未開封時には上記調理用容器内に収納されていること
を特徴とする請求項１〜６のうち何れか１項記載の食品調理性に優れた収納体。
【請求項８】
上記外装体の底面には、内側に押し込むことにより上記容器を支持可能な押し込み片が形成されていること
を特徴とする請求項１〜７のうち何れか１項記載の食品調理性に優れた収納体。
【発明の詳細な説明】
【技術分野】
【０００１】
本発明は、例えば水や熱湯を注ぐことにより調理可能な即席食品又はフリーズドライ食品等を包装するとともに、これを調理するための機能を兼ね備えた食品調理性に優れた収納体に関するものである。
【背景技術】
【０００２】
フリーズドライ食品は、凍結させた食品を真空状態に置き、水分を昇華させて乾燥させた食品である。このフリーズドライ食品は、食品の風味や栄養、美味しさを長期に亘り保存できる利点があり、また水分が除去されている分において軽量であるため、携帯食としても有用である。
【０００３】
このようなフリーズドライ食品を実際に調理するためには、例えば袋体の中に収納された乾燥状態にあるフリーズドライ食品を皿や椀等の容器に載置し、これに熱湯を注ぐことで凍結前の食品を簡単に復元することができる。これらフリーズドライ食品のうち、味噌汁や粥は、熱湯を注いだ容器から直接食することができるが、例えばパスタソースや、丼物又はカレーの具材については、容器内で解凍した後、麺やご飯の上に注いで盛り付ける必要がある。その結果、フリードライ食品を解凍するための容器が余分に必要となり、調理後の容器の洗浄の手間が増加するという問題点があった。
【０００４】
なお、特許文献１には、フリーズドライ食品が予め収納された調理用簡易容器が提案されている。即ち、食品収納済みの態様からなる調理用簡易容器を消費者に提供し、消費者がこの調理用簡易容器内に水や熱湯を注ぎ、更に必要に応じて電子レンジによる加熱を行うことでフリーズドライ食品を調理する。調理用簡易容器は、この調理時において、水や熱湯を注ぎやすくし、しかも型崩れしにくくするために、比較的深い凹形状に構成されている。この調理用簡易容器は、調理後において、シート材を展開して大きな開口部を有する皿状の容器に変形することができ、フリーズドライ食品の取り出し容易性を向上させることが可能となる。
【先行技術文献】
【特許文献】
【０００５】
【特許文献１】特開２００７−２８４１１２号公報
【発明の概要】
【発明が解決しようとする課題】
【０００６】
しかしながら、特許文献１の開示技術は、仮にフリーズドライ食品がパスタソースや、丼物又はカレーの具材等の場合には、調理後において麺やご飯の上に注いで盛り付ける際に、注ぎ口（烏口）が特段形成されていないために、調理用簡易容器を傾けた場合に具材が周囲にこぼれてしまう場合もある。また、調理用簡易容器を麺やご飯の上で傾けるためには、容器を撓ませることなく安定した状態で手で把持できるようにする必要もある。また、調理用簡易容器を手で把持した場合に、中にある調理後の具材からの熱により火傷をしてしまうのを防止する必要もあった。
【０００７】
そこで本発明は、上述した問題点に鑑みて案出されたものであり、その目的とするところは、水や熱湯を注ぐことにより調理可能な即席食品又はフリーズドライ食品を調理するための機能を備え、特に調理後のフリーズドライ食品を麺やご飯の上に注ぐ上で優れた性能を発揮する食品調理性に優れた収納体を提供することにある。
【課題を解決するための手段】
【０００８】
本発明者は、上述した課題を解決するために、注ぎ口が設けられた容器を収納する外装体について、注ぎ口に対面する一の側面から天面にかけて開封可能な開封蓋部を設け、その開封蓋部を介して開放された天面を介して容器内の食品を調理可能とし、更に開放された一の側面を介して容器の注ぎ口が外側に露出する構成とした、食品調理性に優れた収納体を発明した。
【０００９】
請求項１記載の食品調理性に優れた収納体は、注ぎ口が形成された容器と、上記容器が収納される外装体とを備え、上記外装体は、開封可能な開封蓋部が設けられ、その開封蓋部を介して開放された上記天面より上記容器内の食品が調理可能とされ、更に上記容器の注ぎ口が外側に露出する構成とされ、上記開封蓋部は、上記外装体における上記一の側面において、上記容器の注ぎ口を外側に突出させるための開放部分と、上記容器の周壁を支持するための閉鎖部分とが形成されるように開封可能とされていることを特徴とする。
【００１０】
請求項２記載の食品調理性に優れた収納体は、請求項１記載の発明において、上記容器は、上記外装体内に遊嵌され、上記容器内の調理後の食品を上記注ぎ口を介して注ぐ場合には、当該食品の自重により上記容器を上記外装体内において上記一の側面に向けて滑らせて上記開放部分から上記注ぎ口を突出させるとともに、上記閉鎖部分を介して上記容器の周壁を支持可能とされていることを特徴とする。
【００１１】
請求項３記載の食品調理性に優れた収納体は、請求項１又は２項記載の発明において、上記外装体における側面と、上記容器との間には、当該容器から当該外装体に向けて食品調理に伴う伝熱を抑えるためのエア層が形成されていることを特徴とする。
【００１２】
請求項４記載の食品調理性に優れた収納体は、請求項１〜３のうち何れか１項記載の発明において、上記容器は、その周縁が外側に向けて延長されたフランジと、上記フランジの外側端部から下側に向けて立ち下げられた立ち下げ部とを有していることを特徴とする。
【００１３】
請求項５記載の食品調理性に優れた収納体は、請求項４項記載の発明において、上記側面を把持した場合に、上記容器のフランジ部及び立ち下げ部を介して、その把持による押圧力に対抗しつつ、その把持した側面と上記容器との間に形成された食品調理に伴う伝熱を抑えるためのエア層を確保することを特徴とする。
【００１４】
請求項６記載の食品調理性に優れた収納体は、請求項１〜５のうち何れか１項記載の発明において、上記容器は、樹脂製で構成され、上記外装体は、紙製で構成されていることを特徴とする。
【００１５】
請求項７記載の食品調理性に優れた収納体は、請求項１〜６のうち何れか１項記載の発明において、上記食品は、水又は熱湯を注ぐことにより調理可能な即席食品又はフリーズドライ食品、或いは電子レンジにより加熱調理可能な食品であり、上記開封蓋部の未開封時には上記調理用容器内に収納されていることを特徴とする。
【００１６】
請求項８記載の食品調理性に優れた収納体は、請求項１〜７のうち何れか１項記載の発明において、上記外装体の底面には、内側に押し込むことにより上記容器を支持可能な押し込み片が形成されていることを特徴とする。
【発明の効果】
【００１８】
上述した構成からなる本発明によれば、食品がパスタソースや、丼物又はカレーの具材等の場合に、注ぎ口を介して調理後の食品を麺やご飯の上に注いで盛り付けることが可能となる。このため食品が周囲にこぼれてしまうのを防止することができる。また、本発明によれば、外装体の内部に収納されている容器を使用して調理を行うことができるため、調理用の容器、換言すれば食品がフリーズドライ食品である場合にこれを解凍するための容器を余分に準備する必要が無くなる。このため、余分に準備した容器の洗浄の手間を省くことが可能となる。
【００１９】
特に本発明では、容器内で調理した食品を麺やご飯の上に注いで盛り付ける上で優れた作用を発揮するものであり、上述したように、容器を傾ける際にこれを容器を撓ませることなく安定した状態で手で把持でき、調理後の食品からの熱により火傷をしてしまうのを防止することが可能となる。
【図面の簡単な説明】
【００２０】
【図１】本発明を適用した収納体の開封状態の斜視図である。
【図２】本発明を適用した収納体の組立斜視図である。
【図３】（ａ）は、容器の平面図であり、（ｂ）は（ａ）のＳ−Ｓ´断面図である。
【図４】本発明を適用した収納体における図３（ａ）のＰ−Ｐ´断面図である。
【図５】外装体の開封前の状態を示す斜視図である。
【図６】外装体の開封後の状態を他の例を示す斜視図である。
【図７】外装体の内部に容器を収納した状態を示す断面図である。
【図８】本発明を適用した収納体を利用して実際に食品を調理する方法について説明するための図である。
【図９】本発明を適用した収納体による調理後の食品をご飯や麺の上へ盛り付ける作業例を示す図である。
【図１０】調理後の食品からの熱が外装体へ伝熱されるのを防止する機構について説明するための図である。
【図１１】注ぎ口を介して容器から調理後の食品をご飯等の上に盛り付ける例を示す図である。
【図１２】開封後の開封蓋部を、外装体の側面に形成された長孔に差し込んだ例を示す図である。
【図１３】押し込み片を外装体の底面に形成させる例について説明するための断面図である。
【図１４】押し込み片を外装体の底面に形成させる例について説明するための組立斜視図である。
【発明を実施するための形態】
【００２１】
以下、本発明を適用した食品調理性に優れた収納体の実施の形態について図面を参照しながら詳細に説明する。
【００２２】
図１は、本発明を適用した収納体１の斜視図であり、図２はその組立斜視図である。
【００２３】
収納体１は、コンビニエンストアやスーパーマーケット等を始めとした小売店で販売するための食品２を装入するために用いられる。この収納体１は、大きく分類して、容器３と、容器３が収納される外装体４とを備えている。
【００２４】
食品２は、例えば、水又は熱湯を注ぐことにより調理可能な即席食品又はフリーズドライ食品、或いは電子レンジにより加熱調理可能な食品であれば、いかなるものを含む。食品２は、これを収納した収納体１を購入した消費者が自分で調理することを前提としたものである。特に本発明では、この食品２として、パスタソースや、丼物又はカレーの具材等、調理後において麺やご飯の上に注いで盛り付けることを前提としたものである場合に顕著な効果を発揮する。このため、以下の説明においては、これらを食品２として適用した場合を例にとり説明をする。なお、ここでいう調理とは、水又は熱湯を容器３に注いた上で食品を撹拌することや、電子レンジで加熱することも含まれ、更にこれら以外のいかなる調理方法を含む概念である。また、この食品２は、少なくとも調理直前の段階で容器３内に装入されていればよく、流通販売時から容器３内に収納されていてもよいし、流通販売時においてこの容器３内は空になっているものの、調理直前に調理者が容器３内に外から装入するようにしてもよい。
【００２５】
容器３は、調理時において上述した食品２を載置し、水や熱湯を注いで調理を行い、必要に応じて電子レンジによる加熱による調理を行うための容器である。容器３は、樹脂製、紙製、発泡スチロール製等、いかなる材料で構成されていてもよい。図３（ａ）は、容器３の平面図であり、図３（ｂ）は図３（ａ）のＳ−Ｓ´断面図であり、図４は、図３（ａ）のＰ−Ｐ´断面図である。容器３は、底板３５と、底面の周囲に立設されている周壁３６とを有している。また容器３は、周壁３６における任意の一端側に注ぎ口３１が形成されている。また容器３における周壁３６の周縁に設けられたフランジ３３と、フランジ３３の外側端部３３ａから下側に向けて立ち下げられた立ち下げ部３４とを有している。
【００２６】
底板３５は、平面視で略矩形状、略円形状、略楕円形状等、いかなる形状とされていてもよい。この底板３５における表面は、極力平滑化されていることで、調理後の食品２を麺やご飯の上に注ぎ込む過程で、その食品２の滑り性を向上させることができるが、これに限定されるものではなく、当該表面上に凹凸やリブ、段差等が形成されていてもよい。
【００２７】
周壁３６は、容器内において調理する食品２が外側にこぼれるのを防止する役割を担うものである。この周壁３６は、調理作業性、及び食品調理に伴う伝熱を抑えるための後述するエア層を形成する観点から、外側に向けて傾斜されて構成されていることが望ましい。このように周壁３６を外側に向けて傾斜させることにより、側面視において底板３５に近づくにつれて全体的に縮径化された形状とすることができ、容器３を外装体４へ容易に収納することが可能な構成となる。これに加えて、使用する樹脂の量を減らすことも可能となり、容器３の材料コストの低減化を図ることが可能となる。
【００２８】
但し、この周壁３６は、このように外側に傾斜されてなる場合に限定されるものではなく、略鉛直方向に向けて立設されるものであってもよいし、その他いかなる傾斜角度で構成されていてもよい。
【００２９】
また、周壁３６の側面には、例えば図３（ｂ）に示すように入れ目線３８が形成されていてもよい。この入れ目線３８が形成されていることにより、調理のために容器３に水や熱湯を注ぐ際において、その注入量を精度良く合わせる上での目印とすることが可能となり、常に求める味を再現することが可能となる。
【００３０】
注ぎ口３１は、容器３内において調理された食品２を麺やご飯の上に注ぐための注ぎ口を構成するものである。以下の例では、この注ぎ口３１について烏口とされている場合を例にとり説明をするが、これに限定されるものではなく、他のいかなる形状を採用するものであってもよい。注ぎ口３１は、外側に向けて突出されて構成されている。注ぎ口３１は、その突出方向に向けて徐々に幅が狭小化されて構成され、注ぎ込む食品がその先端に集中可能な形状とされている。また周壁３６のうち、この注ぎ口３１の部分については、図４の断面図に示すように、他の周壁３６の傾斜角と比較して緩やかに構成されていることが望ましい。これにより、調理された食品２を麺やご飯の上に注ぐための注ぐ際に、その注ぎ口３１につながる周壁３６に当該食品２の自重により効果的に注ぎ口３１へ集めることが可能となる。なお、この注ぎ口３１の形状やサイズは、実際に調理する食品２の種類に応じてその都度最適なものが選択されることとなる。
【００３１】
周壁３６の周縁に設けられたフランジ３３は、外側に向けてほぼ水平方向に延長されている。このようなフランジ３３が設けられていることにより、周壁３６の剛性を向上させることができ、周壁３６の面外方向への変形を抑制することが可能となる。これに加えて、周壁３６の剛性を向上させることにより、容器３の板厚をより薄肉化しても面外変形への変形を抑制することができ、材料コストの低減化を図ることが可能となる。ちなみに、この周壁３６は、上述のようなフランジ３３を設けることにより、０．２５〜０．３ｍｍ程度まで薄肉化させることが可能となる。またフランジ３３は、ある程度の延長幅が設けられていることにより、容器３が外装体４の鍔部４２に係止させることが可能となる。
【００３２】
またフランジ３３における外側端部３３ａから下側に向けて立ち下げられた立ち下げ部３４が更に設けられていることにより、フランジ３３自体の剛性を向上させることができる。即ち、この立ち下げ部３４は、周壁３６に対して直接連結されているものではないため、その周壁３６の剛性を直接向上させることに寄与するものではない。しかし、フランジ３３に連結されていることにより、周壁３６の剛性向上に寄与するフランジ３３そのものを強くすることができる。これによりフランジ３３としての機能をより強く発揮させることができ、周壁３６自体の剛性向上に寄与することとなる。
【００３３】
また周壁３６には、リブ３９が形成されていてもよい。このリブ３９は、周壁３６の外面から視認した場合には、外側に向けて凸状に構成された態様とされているが、周壁３６の内面から視認した場合には、凹状の窪みが形成された態様とされている。このリブ３９は、１箇所のみならず複数個所に亘り設けられていてもよい。このようなリブ３９が設けられることにより、周壁３６の剛性を向上させることが可能となる。
【００３４】
なお、上述したフランジ３３や立ち下げ部３４、リブ３９は必須ではなく、必要に応じて省略するようにしてもよい。
【００３５】
外装体４は、実際に収納体１を小売店で販売する上で、内部の食品２や容器３を包装して、見栄えを向上させる役割を担う。また、外装体４は、実際に容器３内において調理された食品２を麺やご飯の上に注ぐ際に、消費者が直接把持する部位に相当する。この外装体４は、以下において紙製で構成されている場合を例にとり説明をするが、これに限定されるものではなく、樹脂製、ビニール製等、他のいかなる材料で構成されていてもよい。また外装体４は、いかなる形状で構成されていてもよく、立方体状、直方体状、円柱状、錐状、錐台状、その他ランダムな形状等であってもよい。以下の例では、外装体４の形状として、直方体状とされている場合を例にとり説明をする。
【００３６】
図５は、外装体４の開封前の状態を示している。外装体４は、一の側面４３ａから天面４０にかけて開封可能な開封蓋部４１と、天面４０において形成されている鍔部４２と、側面４３と底面４４とを備えている。
【００３７】
鍔部４２は、天面４０における周縁から内側に向けて突出されている。この鍔部４２は、図１、２に示すような開封蓋部４１の開封時において、容器３が外装体４からの逸脱を防止するための、いわゆる押さえ用部材として機能させるものである。即ち、この鍔部４２は、外装体４の内部に容器３が収納された状態において、平面視において、その周壁３６やフランジ３３に至るまで、あるいはこれらよりも内側に至るまで突出されている。これにより、収納状態にある容器３における周壁３６やフランジ３３の直上は、鍔部４２により覆われている状態となる。これにより、外装体４の天面４０を下向きにひっくり返した場合においても、容器３における周壁３６やフランジ３３は、鍔部４２により支持されるため、外装体４から容器３が落下してしまうのを防止することが可能となる。
【００３８】
なお鍔部４２は、天面４０における周縁に沿って帯状に連続するように形成される場合に限定されるものではなく、周縁から内側に向けて断続的に形成されるものであってもよい。
【００３９】
図６は、鍔部４２について他の形状を適用した例を示している。この鍔部４２は、容器３における周壁３６やフランジ３３の隅部のみを覆う構成とされている。このため、周壁３６やフランジ３３において隅部を除く領域については、鍔部４２が特段設けられていないため、平面視で鍔部４２に覆われることなく直接露出する構成とされている。
【００４０】
このような鍔部４２の構成であっても、外装体４の天面４０を下向きにひっくり返した場合において、容器３における周壁３６やフランジ３３の少なくとも隅部が鍔部４２により支持されるため、外装体４から容器３が落下してしまうのを防止することが可能となる。
【００４１】
開封蓋部４１は、図５に示すような開封前において閉蓋状態とされており、天面４０においては、鍔部４２と互いに連結されていることで、天面４０全体を被包する。開封蓋部４１は、閉蓋状態において鍔部４２との間でミシン目４５を介して連結されている。このミシン目４５は、鍔部４２との間で切り離し容易とするために、当該鍔部４２との境界線に沿って小穴を断続的に設けたものである。なおミシン目４５の代替として、ハーフカット等が設けられていてもよく、その他切り離し容易とするためのいかなる手段が適用されていてもよい。
【００４２】
開封蓋部４１は、開封時において、外装体４における一の側面４３ａから掴み部４１ａを掴み、これを天面４０方向に向けて引き上げる。これにより、掴み部４１ａからミシン目４５が切り離され天面４０において鍔部４２と開封蓋部４１とが互いに離間していくこととなる。なお、掴み部４１ａは、一の側面４３ａにおいて、容器の周壁を支持するための閉鎖部分４６との間でミシン目４５を介して隔てられている。開封蓋部４１の開封後、側面４３ａは、図１に示すように開放部分４７と閉鎖部分４６とから構成されることとなる。掴み部４１ａと閉鎖部分４６との境界を構成するミシン目４５は、直線状に立ち上げられた後に徐々に拡径化される構成とされている。直線状とされていることで、掴み部４１ａを指で掴みやすくし、またその後拡径化される構成とすることにより、中央から力がより均等に分散されることとなり、ミシン目４５に沿った形状に切り離すことができ、歪な形状に破けてしまうのを防止することが可能となる。
【００４３】
なお、この開放部分４７には、互いに離間している閉鎖部分４６にそれぞれ連結されている連結部４８が設けられていてもよい。これにより、閉鎖部分４６が連結部４８を介して連結されて安定されることとなる。このため、掴み部４１ａを掴んで引き上げる過程で、閉鎖部分４６の形状が変形してしまうのを防止することができ、ひいては外装体４の全体形状が崩れることを防止でき、またミシン目４５に沿った切り離しも容易に実現できる。
【００４４】
図７は、外装体４の内部に容器３を収納した状態を示す断面図である。外装体４の内側面と、容器３のフランジ３３の外側端部３３ａ及び立ち下げ部３４とが僅かに離間しているのが望ましい。これにより、容器３は、外装体４の内部においていわゆる遊嵌状態となるため、外装体４の内部において注ぎ口方向に向けて近接離間させることが可能となる。
【００４５】
また、外装体４の側面４３ｂと、容器３の周壁３６との間には、エア層６３が形成されている。このエア層６３は、容器３の内部において行った食品調理に伴う伝熱を抑えるための役割を担うものである。
【００４６】
また、外装体４の内部に容器３を収納する際において、容器３の注ぎ口３１が、外装体４における側面４３ａ側に位置するように、換言すれば、注ぎ口３１が、側面４３ａにおける開放部分４７に近接するように配置される。
【００４７】
次に、本発明を適用した収納体１の実際の使用方法について説明をする。
【００４８】
先ず、収納体１を小売店において販売する場合には、外装体４の内部に容器３を収納し、さらにこの容器３の内部に食品２が封入されている。即ち、食品２がフリーズドライ食品であれば、この容器３に凍結状態にある食品２が置かれる。このとき、食品２は、別の袋体に封入されていてもよいし、容器３に直接載置され、当該容器３におけるフランジ３３に、シールされる蓋体を設けるようにしてもよい。このように食品２が装入される容器３を外装体４の中に収納する際には、開封蓋部４１は閉蓋状態とされている。
【００４９】
消費者は、このような状態にある収納体１を手に取り、これを購入することとなる。食品２を装入した状態で販売する際には、これらが装入された容器３の状態で直接販売するのではなく、あくまで外装体４に収納した状態で販売することで、衛生面に優れるばかりでなく、外装体４に色彩や模様等を施すことで意匠性を向上させたり、商業的な宣伝文等を掲載することも可能となる。
【００５０】
なお本発明では、容器３内に食品２を装入した状態で取引される場合に限定されるものではなく、容器３及び外装体４と、食品２とを互いに別々に流通取引対象とするようにしてもよい。かかる場合に消費者は、容器３が収納された外装体４のみを収納体１として購入し、これらとは別に食品２を購入することとなる。
【００５１】
次に消費者は、購入した収納体１について、先ず外装体４を開封する。この外装体４の開封時に消費者は、上述したように外装体４の側面４３ａから掴み部４１ａを掴み、これを天面４０方向に向けて引き上げることとなる。これにより、掴み部４１ａからミシン目４５が切り離され、天面４０において鍔部４２と開封蓋部４１とを互いに離間させることが可能となる。
【００５２】
このようにして開封蓋部４１が切り離された収納体１には、図８（ａ）に示すように、外装体４の天面４０が開放され、内部から容器３が露出している状態となる。また、この容器３の中には、フリーズドライ食品であれば乾燥状態にある食品２が容器内に載置されている状態にある。仮に食品２を収納体１とは別に購入した場合には、消費者自身がその購入した食品２を容器３内に載置することとなる。
【００５３】
次にこの容器３内にある食品２を調理する。この調理は、あくまで容器３を外装体４の中に収納した状態のまま、開封蓋部４１を介して開放された天面４０を介して容器３に装入された食品を調理する。この食品２が仮にフリーズドライ食品や、即席食品である場合には、図８（ｂ）に示すように、開放された天面４０を介して熱湯を注ぎ、必要に応じてスプーン等を利用して攪拌を行う。これらの調理動作についても、外装体４が開封蓋部４１を介して開放され、容器３の容器内が直接外部に露出する構成とされていることで、容易に実現することができる。また熱湯を注ぐ過程において、上述した入れ目線３８が開放された天面４０を介して直接外部から視認できるため、これを目印にしながら熱湯の注入量を調整することが可能となる。
【００５４】
次に、調理後の食品２をご飯や麺の上へ盛り付ける作業を行う。かかる場合には、消費者は、図９（ａ）に示すように、容器３を収納した状態にある外装体４を外側から手で把持する。仮に外装体４が直方体状で構成される場合には、側面４３ａと隣接する両側に位置する側面４３ｂを手で把持することとなる。
【００５５】
かかる場合において、図１０に示すように、外装体４における側面４３ｂに把持力が伝わる結果、その側面４３ｂが内側に撓もうとする力が作用することとなる。かかる場合には、側面４３ｂが容器３のフランジ３３及び立ち下げ部３４に当接されることとなる。フランジ３３及び立ち下げ部３４により、周壁３６の剛性が高められていることから、容器３の周壁３６が、かかる把持により面外方向に撓んだり変形してしまうのを防止することが可能となる。
【００５６】
また、フランジ３３及び立ち下げ部３４により、把持による押圧力に対抗することができるため、その把持した側面４３ｂと容器３の周壁３６間に形成されたエア層６３をそのまま確保し続けることが可能となる。即ち、把持に伴う側面４３ｂの内側への撓みが、これが当接されるフランジ３３及び立ち下げ部３４にある程度抑えられるため、当該側面４３ｂの撓み量を僅かに抑えることができ、その結果、エア層６３を残すことができる。このため、このエア層６３を介して容器３内部における食品調理に伴う伝熱を抑えることができ、外装体４を把持する消費者の手に、かかる熱が伝わるのを防止することができる。その結果、消費者は、調理後の食品の熱さを手で感じることなく外装体４を把持することが可能となり、かかる熱による火傷をしてしまうのを防止することが可能となる。
【００５７】
次に図９（ｂ）に示すように、調理後の食品２をご飯や麺の上に注ぐべく、容器３を収納した状態にある外装体４を注ぎ口３１が下になるようにして傾ける。その結果、調理後の食品２は、注ぎ口３１の方向に向けて偏り始める。これにより、容器３の自重の重心自体が注ぎ口３１側に移行することになる。容器３は、外装体４の内部において遊嵌状態で保持されていることから、重心が注ぎ口３１側に移行した容器は、この外装体４の内部において、側面４３ｂ側に向けて滑り始める。その結果、側面４３ｂにおける開放部分４７に注ぎ口３１を近接させることができ、ひいては図９（ｂ）に示すように注ぎ口３１を開放部分４７から突出させることが可能となる。即ち、本発明によれば、外装体４を傾けるのみの簡単な動作で、注ぎ口３１を開放部分４７から簡単かつ自動的に出現させることが可能となる。この状態では、容器３は、この開放部分４７の両脇に形成されている閉鎖部分４６を介して支持されている。このため、滑り始めた容器３がそのまま落下してしまうのを防止することができる。
【００５８】
次に図１１に示すように注ぎ口３１を介して容器３から調理後の食品２をご飯６６等の上に盛り付ける。注ぎ口３１は、開放部分４７から既に突出されている状態にあるため、注ぎ口３１から流れ出る食品２が、外装体４の内部にこぼれてしまうのを防止することができる。なお、本発明によれば、注ぎ口３１が開放部分４７から必ずしも突出されている必要は無く、少なくとも開放部分４７を介して注ぎ口３１が外側に露出するものであればよい。
【００５９】
このように、本発明を適用した収納体１では、食品２がパスタソースや、丼物又はカレーの具材等の場合には、注ぎ口３１を介して調理後の食品２を麺やご飯の上に注いで盛り付けることが可能となる。このため食品２が周囲にこぼれてしまうのを防止することができる。また、本発明によれば、外装体４の内部に収納されている容器３を使用して調理を行うことができるため、の容器、換言すれば食品２がフリーズドライ食品である場合にこれを解凍するための容器を余分に準備する必要が無くなる。このため、余分に準備した容器の洗浄の手間を省くことが可能となる。
【００６０】
特に本発明では、容器３内で調理した食品２を麺やご飯の上に注いで盛り付ける上で優れた作用を発揮するものであり、上述したように、容器３を傾ける際にこれを容器を撓ませることなく安定した状態で手で把持でき、調理後の食品２からの熱により火傷をしてしまうのを防止することが可能となる。
【００６１】
なお、上述した例では、あくまで容器３が平面視で長方形であり、これを収納する外装体４も直方体状で構成されている場合を例にとり説明をしたが、これに限定されるものではない。仮に容器３が平面視で円形又は楕円形であり、これを収納する外装体４も円柱状で構成することで実現できる。上述した側面４３ａは、平面状とされている場合に限定されず、曲面として構成される場合も含まれることから、かかる円柱状の外装体４の側面４３ａから注ぎ口３１を突出させることとなる。
【００６２】
また、本発明によれば、外装体４の開封蓋部４１を効果的に活用することもできる。図１２は、開封後の開封蓋部４１を、外装体４の側面４３ｃに形成された長孔７１に差し込んだ例を示している。この例では、開封後の開封蓋部４１を折り返して側面４３ｃ側に折り返してその先端を長孔７１に差し込む。これにより、開封蓋部４１における中腹部分７２が丸みを帯びた状態で直立させることができる。このため消費者は、例えば電子レンジに入れた収納体１について、この中腹部分７２を掴んで取り出すことが可能となる。
【００６３】
また、本発明によれば、外装体４を紙製で構成し、容器３を樹脂製で構成することにより、使用後においてこれらを互いに分別して簡単に廃棄することが可能となる。特に容器３を樹脂製で構成することにより、食品２を衛生的かつ漏れることなく調理を行うことができ、外装体４を紙製とすることで容器３からの調理に伴う伝熱を効果的に防止することが可能となる。
【００６４】
更に、この外装体４、容器３を互いに同一の材料で構成することにより、これらを互いに分別することなく簡単に廃棄することができる。このため、本発明は、環境面においても配慮がなされた構成とすることが可能となる。
【００６５】
なお本発明は、上述した実施の形態に加え、例えば図１３、１４に示すような押し込み片１０１を形成するようにしてもよい。この押し込み片１０１は、外装体４の底面４４に形成されており、当該底面４４の外側から指で押圧することでヒンジ状に折れ曲がり、内側に押し込むことが可能とされている。この内側に押し込まれた押し込み片１０１の先端が図１４に示すように容器４に当接されることとなり、その結果、容器３を下側から支持可能とされている。このような押し込み片１０１により、容器４を支持することで、例えば容器３を収納した状態にある外装体４を注ぎ口３１が下になるようにして傾けることにより、注ぎ口３１を外側に突出させた場合においても、押し込み片１０１を介して容器３を支持することができる。その結果、外装体４の内部において容器３が動いてしまうのを、この押し込み片１０１を介して防止することが可能となる。
【符号の説明】
【００６６】
１  収納体
２  食品
３  容器
４  外装体
３１  注ぎ口
３３  フランジ
３３ａ  外側端部
３４  立ち下げ部
３５  底板
３６  周壁
３８  入れ目線
３９  リブ
４０  天面
４１  開封蓋部
４２  鍔部
４３ｂ  側面
４３ｃ  側面
４４  底面
４５  ミシン目
４６  閉鎖部分
４７  開放部分
４８  連結部
６３  エア層
６６  飯
７１  長孔
７２  中腹部分
１０１  押し込み片
【図１】
0006316682.tif 000002
【図２】
0006316682.tif 000003
【図３】
0006316682.tif 000004
【図４】
0006316682.tif 000005
【図５】
0006316682.tif 000006
【図６】
0006316682.tif 000007
【図７】
0006316682.tif 000008
【図８】
0006316682.tif 000009
【図９】
0006316682.tif 000010
【図１０】
0006316682.tif 000011
【図１１】
0006316682.tif 000012
【図１２】
0006316682.tif 000013
【図１３】
0006316682.tif 000014
【図１４】
0006316682.tif 000015